(57)【特許請求の範囲】
【請求項１】
リングネットワークにおいて、リング毎に設置された光分岐挿入装置を管理するネットワーク管理装置であって、
光分岐挿入装置を接続するリンク毎に、リング及び波長の使用状態を管理する波長管理部と、
光パスを開通する場合に、当該光パスが通過する各リンクにおけるリング及び波長の使用状態を前記波長管理部から取得し、各リンクで共通して未使用である波長を検索し、光パスの経路を設計する光パス設計部と、
光分岐挿入装置に対して、設計された光パスの経路を設定するよう指示する光パス設定部と、
を有するネットワーク管理装置。
【請求項２】
リングネットワークにおいて、リング毎に設置された光分岐挿入装置を管理するネットワーク管理装置であって、
光分岐挿入装置を接続するリンク毎に、リング及び波長の使用状態を管理する波長管理部と、
光パスを開通する場合に、当該光パスが通過する各リンクにおけるリング及び波長の使用状態を前記波長管理部から取得し、各リンクで共通して未使用である波長を検索し、光パスの経路を設計する光パス設計部と、
を有し、
前記波長管理部は、
リング数がｋであり、波長多重数がＭである場合、リンクｎの使用状態を次式のＭ×ｋの行列An
【数５】
0005530266.tif 000014
で表し、ただし、ｓｉｊはリング番号ｉ及び波長番号ｉの使用状態（ｓｉｊ＝１のとき使用中であり、ｓｉｊ＝０のとき未使用である）を表し、
前記光パス設計部は、
当該光パスがリンクｐからｑまでを通過する場合、取得した行列Ａｎの和Ｓ
【数６】
0005530266.tif 000015
を求め、
行列Ｓのｉ行における行要素の総和Ｓｉ
【数７】
0005530266.tif 000016
を求め、
光パスが通過するリンクの数をＬとしたときに、
【数８】
0005530266.tif 000017
を満たすｉが存在する場合に、波長番号ｉが各リンクで共通して未使用であると判断するネットワーク管理装置。
【請求項３】
光分岐挿入装置に対して、設計された光パスの経路を設定するよう指示する光パス設定部を更に有する請求項２に記載のネットワーク管理装置。
【請求項４】
前記光パス設定部は、設計された光パスが第１の光分岐挿入装置において第１のリングと第２のリングとを跨ぐ場合、当該第１の光分岐挿入装置に対して、第１のリングと第２のリングとの間で光パスの波長を入出力するよう指示する、請求項１に記載のネットワーク管理装置。
【請求項５】
光分岐挿入装置に対して、設定された光パスのパワーを制御するパワー制御部を更に有する、請求項１又は４のネットワーク管理装置。
【請求項６】
設定された光パスが第１の光分岐挿入装置において第１のリングと第２のリングとを跨ぐ場合、当該第１の光分岐挿入装置に対して、第１のリングで検知した故障の警報を第２のリングに転送するよう指示する警報制御部を更に有する、請求項１、４、５のうちいずれか１項に記載のネットワーク管理装置。
【請求項７】
前記警報制御部は、故障の警報を受信した場合、それぞれ第１及び第２のリング上で光パスが通過しない光分岐挿入装置からの故障の警報を破棄する、請求項６に記載のネットワーク管理装置。
【請求項８】
リングネットワークにおいて、リング毎に設置された光分岐挿入装置を管理するネットワーク管理装置での光パス設計方法であって、
光分岐挿入装置を接続するリンク毎に、リング及び波長の使用状態を波長管理部に格納するステップと、
光パスを開通する場合に、当該光パスが通過する各リンクにおけるリング及び波長の使用状態を前記波長管理部から取得し、各リンクで共通して未使用である波長を検索し、光パスの経路を設計するステップと、
光分岐挿入装置に対して、設計された光パスの経路を設定するよう指示するステップと、
を有する光パス設計方法。
【請求項９】
リングネットワークにおいて、リング毎に設置された光分岐挿入装置を管理するネットワーク管理装置での光パス設計方法であって、
光分岐挿入装置を接続するリンク毎に、リング及び波長の使用状態を波長管理部に格納する波長管理ステップと、
光パスを開通する場合に、当該光パスが通過する各リンクにおけるリング及び波長の使用状態を前記波長管理部から取得し、各リンクで共通して未使用である波長を検索し、光パスの経路を設計する光パス設計ステップと、
を有し、
前記波長管理ステップは、
リング数がｋであり、波長多重数がＭである場合、リンクｎの使用状態を次式のＭ×ｋの行列An
【数５】
0005530266.tif 000018
で表し、ただし、ｓｉｊはリング番号ｉ及び波長番号ｉの使用状態（ｓｉｊ＝１のとき使用中であり、ｓｉｊ＝０のとき未使用である）を表し、
前記光パス設計ステップは、
当該光パスがリンクｐからｑまでを通過する場合、取得した行列Ａｎの和Ｓ
【数６】
0005530266.tif 000019
を求め、
行列Ｓのｉ行における行要素の総和Ｓｉ
【数７】
0005530266.tif 000020
を求め、
光パスが通過するリンクの数をＬとしたときに、
【数８】
0005530266.tif 000021
を満たすｉが存在する場合に、波長番号ｉが各リンクで共通して未使用であると判断する
光パス設計方法。
【発明の詳細な説明】
【技術分野】
【０００１】
本発明は、ネットワーク管理装置及び光パス設計方法に関する。特に、本発明は、リングネットワークにおいて、光リング毎に設置された光分岐挿入装置を管理するネットワーク管理装置に関する。
【背景技術】
【０００２】
光分岐挿入装置（ＯＡＤＭ：Optical Add/Drop Multiplexer）をリング状に光ファイバで接続したネットワークをＯＡＤＭリングネットワークと呼ぶ(以下、リングネットワークと呼ぶ)。
【０００３】
図１に示すように、ＯＡＤＭは、局舎のようなビル内に設置される。光パスは、同一のリングネットワーク内に開通可能である。ここで、リングネットワーク上の任意のリンクで、光パス本数が波長多重数を超える場合、全てのビルにＯＡＤＭを増設すると共に、全てのビル間に光ファイバを増設し、ＯＡＤＭ及び光ファイバを接続することで、リングネットワークを増設する必要がある。ここでは、リングネットワークを区別するため、リングネットワークに固有のリング番号（１以上の整数）を付与する。
【０００４】
このようなリングネットワークは、非特許文献１に記載されている。
【先行技術文献】
【非特許文献】
【０００５】
【非特許文献１】Xiaojun Fang, "All- Optical Four-Fiber Bidirectional Line-Switched Ring", JOURNAL OF LIGHTWAVE TECHNOLOGY, VOL. 17, NO. 8, pp1032-1308, AUGUST 1999
【発明の概要】
【発明が解決しようとする課題】
【０００６】
図１を用いて、従来のリングネットワークにおける光パスの開通方法を説明する。図１のリングネットワークでは、光パスＰ１・光パスＰ２がそれぞれビルａ−ｂ−ｃ間・ａ−ｄ−ｃ間に開通済みである。図１のネットワークにおいて、ビルｂ−ｃ−ｄ間に光パスＰ３を開通する場合、同一のリングネットワークにおける光パス（光パスＰ１又はパスＰ２）との波長重複（λ１）を回避するために、波長重複する光パスには互いに異なる波長が割り当てられる（パスＰ１・パスＰ２→λ１、パスＰ３→λ２）。従来の光パスの開通方法では、異なるリングネットワーク間を跨いで光パスＰ３を開通出来ないため、新たに波長λ２を割り当て、光パスを開通する必要がある。このように、光パスの開通においては、１つのリングネットワーク内で使用していない波長を光パスに割り当てる必要があるため、リングネットワーク全体における波長利用効率（収容効率）が低減する。
【０００７】
また、光パスの管理・監視・制御がリングネットワーク毎に個別に実施されており、異なるリングネットワーク間で光パスの管理・監視・制御を連携させることができない。
【０００８】
本発明は、異なるリングネットワーク間を跨ぐ光パスを開通可能にすることにより、ネットワーク全体の収容効率を向上させることを目的とする。
【課題を解決するための手段】
【０００９】
本発明のネットワーク管理装置は、
リングネットワークにおいて、リング毎に設置された光分岐挿入装置を管理するネットワーク管理装置であって、
光分岐挿入装置を接続するリンク毎に、リング及び波長の使用状態を管理する波長管理部と、
光パスを開通する場合に、当該光パスが通過する各リンクにおけるリング及び波長の使用状態を前記波長管理部から取得し、各リンクで共通して未使用である波長を検索し、光パスの経路を設計する光パス設計部と、
光分岐挿入装置に対して、設計された光パスの経路を設定するよう指示する光パス設定部と、
を有することを特徴とする。
また、本発明のネットワーク管理装置は、
リングネットワークにおいて、リング毎に設置された光分岐挿入装置を管理するネットワーク管理装置であって、
光分岐挿入装置を接続するリンク毎に、リング及び波長の使用状態を管理する波長管理部と、
光パスを開通する場合に、当該光パスが通過する各リンクにおけるリング及び波長の使用状態を前記波長管理部から取得し、各リンクで共通して未使用である波長を検索し、光パスの経路を設計する光パス設計部と、
を有し、
前記波長管理部は、
リング数がｋであり、波長多重数がＭである場合、リンクｎの使用状態を次式のＭ×ｋの行列An
【数５】
0005530266.tif 000002
で表し、ただし、ｓｉｊはリング番号ｉ及び波長番号ｉの使用状態（ｓｉｊ＝１のとき使用中であり、ｓｉｊ＝０のとき未使用である）を表し、
前記光パス設計部は、
当該光パスがリンクｐからｑまでを通過する場合、取得した行列Ａｎの和Ｓ
【数６】
0005530266.tif 000003
を求め、
行列Ｓのｉ行における行要素の総和Ｓｉ
【数７】
0005530266.tif 000004
を求め、
光パスが通過するリンクの数をＬとしたときに、
【数８】
0005530266.tif 000005
を満たすｉが存在する場合に、波長番号ｉが各リンクで共通して未使用であると判断することを特徴とする。
【００１０】
本発明の光パス設計方法は、
リングネットワークにおいて、リング毎に設置された光分岐挿入装置を管理するネットワーク管理装置での光パス設計方法であって、
光分岐挿入装置を接続するリンク毎に、リング及び波長の使用状態を波長管理部に格納するステップと、
光パスを開通する場合に、当該光パスが通過する各リンクにおけるリング及び波長の使用状態を前記波長管理部から取得し、各リンクで共通して未使用である波長を検索し、光パスの経路を設計するステップと、
光分岐挿入装置に対して、設計された光パスの経路を設定するよう指示するステップと、
を有することを特徴とする。
また、本発明の光パス設計方法は、
リングネットワークにおいて、リング毎に設置された光分岐挿入装置を管理するネットワーク管理装置での光パス設計方法であって、
光分岐挿入装置を接続するリンク毎に、リング及び波長の使用状態を波長管理部に格納する波長管理ステップと、
光パスを開通する場合に、当該光パスが通過する各リンクにおけるリング及び波長の使用状態を前記波長管理部から取得し、各リンクで共通して未使用である波長を検索し、光パスの経路を設計する光パス設計ステップと、
を有し、
前記波長管理ステップは、
リング数がｋであり、波長多重数がＭである場合、リンクｎの使用状態を次式のＭ×ｋの行列An
【数５】
0005530266.tif 000006
で表し、ただし、ｓｉｊはリング番号ｉ及び波長番号ｉの使用状態（ｓｉｊ＝１のとき使用中であり、ｓｉｊ＝０のとき未使用である）を表し、
前記光パス設計ステップは、
当該光パスがリンクｐからｑまでを通過する場合、取得した行列Ａｎの和Ｓ
【数６】
0005530266.tif 000007
を求め、
行列Ｓのｉ行における行要素の総和Ｓｉ
【数７】
0005530266.tif 000008
を求め、
光パスが通過するリンクの数をＬとしたときに、
【数８】
0005530266.tif 000009
を満たすｉが存在する場合に、波長番号ｉが各リンクで共通して未使用であると判断する
ことを特徴とする。
【発明の効果】
【００１１】
本発明によれば、異なるリングネットワーク間を跨ぐ光パスを開通可能にすることにより、ネットワーク全体の収容効率を向上させることが可能になる。
【図面の簡単な説明】
【００１２】
【図１】従来のリングネットワークにおける光パスの開通方法を示す図
【図２】本発明の実施例に係る光パスの開通方法を示す図
【図３】本発明の実施例に係るＯＡＤＭのブロック図
【図４】本発明の実施例に係るＯＡＤＭのスイッチ機能部を示す図
【図５】本発明の実施例に係るネットワーク管理装置のブロック図
【図６】本発明の実施例に係るネットワーク管理装置で管理される波長管理マトリクスを示す図
【図７】本発明の実施例に係るネットワーク管理装置における光パス開通方法のフローチャート
【図８】パスＰ３の開通前後の波長管理マトリクスを示す図
【図９】本発明の実施例に係るネットワーク管理装置におけるパワー制御方法を示す図
【図１０】本発明の実施例に係るネットワーク管理装置における警報監視方法を示す図
【発明を実施するための形態】
【００１３】
以下、本発明の実施例について詳細に説明する。
【００１４】
図２は、本発明の実施例に係る光パスの開通方法を示す図である。
【００１５】
ビルａ、ｂ、ｃ、ｄにはそれぞれ２つの光分岐挿入装置（ＯＡＤＭ）が設置されており、２系統の光ファイバによってＯＡＤＭ同士はリング状に接続されている。ここで、リング番号ｋ＝１，２とし、波長多重数Ｍ＝２とする。光パスＰ１がビルａ−ｂ−ｃ間に波長λ１を用いて開通しており、光パスＰ２がビルａ−ｄ−ｃ間に波長λ１を用いて開通している。このとき、新たな光パスＰ３をビルｂ−ｃ−ｄ間に開通することを想定する。
【００１６】
前述のように、従来の光パスの開通方法では、既存パスである光パスＰ１及びＰ２との波長重複（λ１）を回避するため、光パスＰ３に新たな波長λ２を割り当てる必要がある。
【００１７】
本発明の実施例では、ネットワーク管理装置が、ＯＡＤＭを接続するリンク毎にリング及び波長の使用状態を管理し、異なるリング間を跨ぐ光パスの開通を実現する。図２の場合、新たな光パスＰ３をビルｂ−ｃ−ｄ間に開通する場合、ビルｂ−ｃ間ではリング番号２の波長λ１が未使用であり、ビルｃ−ｄ間ではリング番号１の波長λ１が未使用である。従って、ネットワーク管理装置は、各ＯＡＤＭに対して、未使用の波長λ１を用いた経路の光パスを設定する。
【００１８】
＜ＯＡＤＭの構成＞
まず、ＯＡＤＭの構成について説明する。図３は、本発明の実施例に係るＯＡＤＭ１０のブロック図である。ＯＡＤＭ１０は、制御機能部１０１と、監視機能部１０３と、スイッチ機能部１０５とを有する。なお、図３に示すように、各ＯＡＤＭに２本の光ファイバが接続され、２本の光ファイバで１系統のリングを構成してもよい。
【００１９】
制御機能部１０１は、ネットワーク管理装置からの指示を受け、ＯＡＤＭの動作を制御する。制御機能部１０１は、ネットワーク管理装置で決定された光パスの経路に従って、光パスを設定する。
【００２０】
また、制御機能部１０１は、ネットワーク管理装置からの指示を受け、光パスの入出力パワーを制御する。例えば、光パスがビルａ−ｂ間でリング１を通過する場合と、ビルａ−ｂ間でリング２を通過する場合とでは、光パスのパワー制御量が異なる。このため、制御機能部１０１は、ネットワーク管理装置で決定されたパワー制御量に従って、光パスの入出力パワーを制御する。
【００２１】
監視機能部１０３は、ネットワークの故障を検知し、故障警報を生成・転送する。
【００２２】
スイッチ機能部１０５は制御機能部１０１からの指示を受け、ＯＡＤＭに入出力される光パスをＡｄｄ／Ｄｒｏｐ又はＴｈｒｏｕｇｈする。具体的には、スイッチ機能部１０５は、自ＯＡＤＭから他ＯＡＤＭに送信する光パスをＡｄｄする。受信した光パスが自ＯＡＤＭ宛である場合、その光パスをＤｒｏｐする。受信した光パスが他ＯＡＤＭ宛である場合、その光パスの波長をＴｈｒｏｕｇｈする。例えば、リング１で受信した光パスをリング２にＴｈｒｏｕｇｈする場合には、リング１で受信した光パスの波長をリング２にＴｈｒｏｕｇｈする。
【００２３】
図４を参照して、ＯＡＤＭのスイッチ機能部１０５を更に詳細に説明する。スイッチ機能部１０５は、複数の波長選択スイッチ（ＷＳＳ）と、光カプラ（ＯＣ）と、トランスポンダ（ＴＰＤ）とを有する。図４において、ＷＳＳ  ｗ１ｉ、ＷＳＳ  ｅ１ｉ、ＷＳＳ  ｗ１ｏ及びＷＳＳ  ｅ１ｏが１つのＯＡＤＭに相当する。
【００２４】
ＷＳＳ  ｗ１ｉは、時計方向のリング１から入力された波長のうち、自ＯＡＤＭ宛の波長を、ＯＣＩＮを介してＴＰＤに出力する。また、時計方向のリング１から入力された波長のうち、他ＯＡＤＭ宛の波長を時計方向のリング１（ＷＳＳ  ｅ１ｏ）又は時計方向のリング２（ＷＳＳ  ｅ２ｏ）に出力する。
【００２５】
ＷＳＳ  ｅ１ｉは、反時計方向のリング１から入力された波長のうち、自ＯＡＤＭ宛の波長を、ＯＣＩＮを介してＴＰＤに出力する。また、反時計方向のリング１から入力された波長のうち、他ＯＡＤＭ宛の波長を反時計方向のリング１（ＷＳＳ  ｗ１ｏ）又は反時計方向のリング２（ＷＳＳ  ｗ２ｏ）に出力する。
【００２６】
ＷＳＳ  ｗ１ｏは、反時計方向のリング１（ＷＳＳ  ｅ１ｉ）又は反時計方向のリング２（ＷＳＳ  ｅ２ｉ）から入力された波長を反時計方向のリング１に出力する。また、ＷＳＳ  ｗ１ｏは、ＴＰＤからＯＣＯＵＴを介して入力された信号を反時計方向のリング１に出力する。
【００２７】
ＷＳＳ  ｅ１ｏは、時計方向のリング１（ＷＳＳ  ｗ１ｉ）又は時計方向のリング２（ＷＳＳ  ｗ２ｉ）から入力された波長を時計方向のリング１に出力する。また、ＷＳＳ  ｅ１ｏは、ＴＰＤからＯＣＯＵＴを介して入力された信号を時計方向のリング１に出力する。
【００２８】
リング２のＷＳＳ  ｗ２ｉ、ＷＳＳ  ｅ２ｉ、ＷＳＳ  ｗ２ｏ及びＷＳＳ  ｅ２ｏも同様である。
【００２９】
＜ネットワーク管理装置の構成及び動作＞
次に、ネットワーク管理装置の構成及び動作について説明する。図５は、本発明の実施例に係るネットワーク管理装置２０のブロック図である。ネットワーク管理装置２０は、波長管理部２０１と、光パス設計部２０３と、光パス設定部２０５と、パワー制御部２０７と、警報制御部２０９とを有する。ネットワーク管理装置２０は、各ＯＡＤＭ１０を管理し、異なるリング間でＯＡＤＭ１０の制御機能部１０１、監視機能部１０３及びスイッチ機能部１０５を連携させる。
【００３０】
波長管理部２０１は、ビル間のリンク（光ファイバ）毎に、リング及び波長の使用状態を管理する。例えば、波長管理部２０１は、波長番号とリング番号とで構成される波長管理マトリクスを使用して、ＯＡＤＭが設置されたビル間に存在する全てのファイバにおける波長の使用状況を一括で管理する。
【００３１】
図６に、波長管理部２０１で管理される波長管理マトリクスの例を示す。波長管理マトリクスは、ビル間を接続する光ファイバでの波長使用状況を一括して管理する。ビル間のリンク毎に１つの波長管理マトリクスが割り当てられる。
【００３２】
波長管理マトリクスは、リングに割り振られたリング番号（１，２，...，ｋ）と、ファイバ１本あたり使用可能な波長数に割り振られた波長番号（１，２，...，Ｍ）を、それぞれ行・列としている。Ｍは波長多重数であり、ｋは最大のリング番号である。波長管理マトリクスにおいて、リング番号ｊ及び波長番号ｉに対応する要素が０であれば、その波長管理マトリクスが管理するリンクにおいて、リング番号ｊ及び波長番号ｉが未使用である。リング番号ｊ及び波長番号ｉに対応する要素が１であれば、リング番号ｊ及び波長番号ｉが使用中である。
【００３３】
光パス設計部２０３は、光パスを開通する場合に、光パスが通過する各リンクにおけるリング及び波長の使用状態を波長管理部２０１から取得し、各リンクで共通して未使用である波長を検索し、光パスの経路を設計する。
【００３４】
光パス設定部２０５は、設計された光パスが通過する各ＯＡＤＭに対して、設計された光パスの経路を設定するよう指示する。例えば、設計された光パスがリング１とリング２とを跨ぐ場合、リング１とリング２との間で光パスの波長を入出力するよう指示する。
【００３５】
パワー制御部２０７は、設定された光パスのパワーを制御する。上記のように、例えば、光パスがビルａ−ｂ間でリング１を通過する場合と、ビルａ−ｂ間でリング２を通過する場合とでは、光パスのパワー制御量が異なる。このため、パワー制御部２０７は、設定された光パスの経路に応じて、光パスが通過する各ＯＡＤＭのパワー制御量を決定する。
【００３６】
警報制御部２０９は、各ＯＡＤＭから故障警報を受信する。例えば、設定された光パスがリング１とリング２とを跨ぐ場合、リング１で検知された故障の警報をリング２に転送する指示する。また、設定された光パスが通過しないＯＡＤＭからの警報をマスク（破棄）する。
【００３７】
＜光パスの開通について＞
図７に、ネットワーク管理装置２０における光パス開通方法のフローチャートを示す。
【００３８】
ステップＳ１０１において、光パスの需要情報（開通予定の光パスの情報）が光パス設計部２０３に入力される。
【００３９】
ステップＳ１０３において、光パス設計部２０３は、光パス終端ビル間の最短経路を計算し、光パスが通過するリンクを求める。最短経路は、ビル間に設置された光ファイバの距離から計算される。なお、２本の光ファイバで１系統のリングを構成する場合、時計方向の経路と反時計方向の経路とのうち、短い方の経路が選択される。
【００４０】
ステップＳ１０５において、光パス設計部２０３は、光パスが通過する全てのリンクにおける波長管理マトリクスを読みだし、リング及び波長の使用状態を取得する。リング数がｋであり、波長多重数がＭである場合、リンクｎの波長管理マトリクスＡｎは式（１）のようにＭ×ｋの行列で表される。
【００４１】
【数１】
0005530266.tif 000010
ただし、ｓｉｊはリング番号ｉ及び波長番号ｉの使用状態（ｓｉｊ＝１のとき使用中であり、ｓｉｊ＝０のとき未使用である）を表す。光パスがリンクｐからｑまでを通過する場合、光パス設計部２０３は、行列Ａｎをリンクｐからｑまで読みだす。
【００４２】
ステップＳ１０７において、光パス設計部２０３は、波長管理マトリクスの集合から、光パスの経路における各リンクで共通して未使用である波長を検索する。光パス設計部２０３は、読みだした波長管理マトリクスの和Ｓを求める。行列Ｓは式（２）のようにＭ×ｋの行列で表される。
【００４３】
【数２】
0005530266.tif 000011
次に、行列Ｓの各行において行要素の総和を求める。このとき、行列Ｓのｉ行における行要素の総和をＳｉと表記する。Ｓｉは式（３）のように表される。
【００４４】
【数３】
0005530266.tif 000012
このとき、以下の式（４）を満たすｉが、光パスに割り当て可能な波長の波長番号（光パスの経路における各リンクで共通して未使用である波長番号）に相当する。ただし、Ｌは光パスが通過するリンクの数である。
【００４５】
【数４】
0005530266.tif 000013
ステップＳ１０９において、光パス設計部２０３は、各リンクで共通して未使用である波長が存在するか否かが判別される。式（４）を満たすｉが存在する場合、未使用波長が存在し、存在しない場合、未使用波長が存在しない。未使用波長が存在しない場合、ステップＳ１１１において、光パス開通不可能であると判断する。この場合、リングの増設が必要になる。
【００４６】
ステップＳ１１３において、未使用波長が存在する場合、光パス設定部２０５は、光パス設計部２０３で設計された光パスの経路を設定するよう指示する。光パス設定部２０５は、光パスが通過する各ビルのＯＡＤＭに対して、未使用波長が存在するリング番号のファイバに光パスが入出力されるよう指示する。
【００４７】
ステップＳ１１５において、波長管理部２０１は、設定した光パスが通過する全てのリンクで、波長管理マトリクスを更新する。具体的には、波長管理部２０１は、各リンクの波長管理マトリクスにおいて、設定した光パスのリング番号及び波長を１に更新する。
【００４８】
ステップＳ１１７において、光パス設定部２０５は、光パス端ビルの光パスが終端されるＯＡＤＭに対して、ファイバに光パスを入力するよう指示する。そして、光パスの開通が終了する。
【００４９】
図２に示す例を用いて、ネットワーク管理装置２０における光パス開通方法を更に説明する。前述のように、光パスＰ１がビルａ−ｂ−ｃ間に波長λ１を用いて開通しており、光パスＰ２がビルａ−ｄ−ｃ間に波長λ１を用いて開通している。このとき、新たな光パスＰ３をビルｂ−ｄ間に開通する手順について説明する。
【００５０】
ビルｂ−ｄ間に光パスを開通する場合、光パスの経路はｂ−ｃ−ｄ又はｂ−ａ−ｄとなる。この２つのうち短い方の経路を用いる。ここでは、ｂ−ｃ−ｄの経路が短いものとする。
【００５１】
次に、リンクｂ−ｃとｃ−ｄの波長管理マトリクスを参照し、共通して未使用である波長を探す。図８（Ａ）に、リンクｂ−ｃとリンクｃ−ｄの、光パスＰ３開通前の波長管理マトリクスを示す。このリンクｂ−ｃの波長管理マトリクスから、リング２において波長λ１が未使用であることがわかり、リンクｃ−ｄの波長管理マトリクスから、リング１において波長λ１が未使用であることがわかる。従って、λ１が各リンクで共通して未使用である波長である。そこで、光パスＰ３を収容する際に、リンクｂ−ｃにおいてはリング２のファイバを使用し、リンクｃ−ｄにおいてはリング１のファイバを使用することで、光パスＰ３に波長λ１を割り当てることができる。
【００５２】
パスが通過するビルｂ、ｃ、ｄのＯＡＤＭでは、未使用波長λ１が存在するリング番号のファイバに光パスが収容されるよう、ＯＡＤＭのスイッチ機能部を制御する。ビルｃのＯＡＤＭに対しては、リング１とリング２との間でλ１のパスが入出力されるようスイッチ機能部を制御する。スイッチ機能部の設定が完了した後、パス端のビルｂのＯＡＤＭに対して、λ１の光パスをリング２に収容し、ビルｄのＯＡＤＭに対して、λ１の光パスをリング１に収容し、パス開通が完了する。
【００５３】
図８（Ｂ）に、リンクｂ−ｃとリンクｃ−ｄの、光パスＰ３開通後の波長管理マトリクスを示す。光パスＰ３の開通後に、リンクｂ−ｃの波長管理マトリクスにおけるリング２の波長λ１と、リンクｃ−ｄの波長管理マトリクスにおけるリング１の波長λ１を使用済みに設定する。
【００５４】
このように、波長λ１を使用して光パスＰ３を開通できる。その結果、従来と比較して少ない必要波長数でパス開通が可能となる。
【００５５】
＜光パスのパワー制御＞
上記のように異なるリングネッワーク間で光パスを開通した場合、該当光パスが通過するリングネットワークに応じて光パスのパワー制御する必要がある。図９に、異なるリング間に光パスを開通した場合の、光パスのパワー制御方法を示す。光パスが通過するビルｂ、ｃ、ｄのＯＡＤＭにおいてリンク毎に光パスのパワーを制御するため、ネットワーク管理装置１０のパワー制御部２０７は、波長管理マトリクスを参照し、パスが収容されるリング番号から、各パス通過ノードにおける光パワー制御量を決定する。パワー制御部２０７は、各ＯＡＤＭに対して、決定したパワー制御量を指示する。
【００５６】
＜光パスの監視＞
上記のように異なるリングネットワーク間で光パスを開通した場合、リングネットワークを跨いで故障の警報を管理する必要がある。図１０に、異なるリング間に光パスを開通した場合の、光パスの警報監視方法を示す。
【００５７】
ビルｂ−ｃ−ｄ間に開通した光パスにおいてビルｃ−ｄ間に故障が発生し、ビルｄのＯＡＤＭからビルｂのＯＡＤＭに送信される光信号に対して故障が検知された場合の、警報監視方法を説明する。この場合、故障箇所の下流に位置する、ビルｃのＯＡＤＭのリング１において、故障を検知する。故障警報をネットワーク管理装置２０の警報管理部２０９で受信すると、ビルｃで故障を検知したＯＡＤＭに対して、故障警報をリング２に接続されたＯＡＤＭに転送するよう指示する。ビルｃでリング２に接続されたＯＡＤＭは、受信した故障警報をリング２に転送する。このようにして、故障の検知を異なるリングネットワークに転送することができる。
【００５８】
故障警報はリング２内で転送され、ビルａ及びビルｄのＯＡＤＭにも届く可能性があるが、光パスが通過しないＯＡＤＭからの故障警報は、ネットワーク管理装置２０の警報制御部２０９においてマスク（破棄）される。
【００５９】
或いは、ネットワーク管理装置２０の警報制御部２０９は、ビルｃのＯＡＤＭから故障警報を受信すると、故障警報に光パスの終端の情報を埋め込み、故障警報をリング２に接続されたＯＡＤＭに転送するよう指示してもよい。光パスの終端であるビルｂのリング２に接続されたＯＡＤＭが故障警報を受信すると、光パスの終端であることがわかるため、ビルａ及びビルｄのＯＡＤＭには転送しない。
【００６０】
同様にして、リング１内においても、光パスが通過しないビルｂ及びａの故障警報がマスクされる。
【００６１】
＜実施例の効果＞
本発明の実施例によれば、異なるリングネットワーク間で光パスの管理・監視・制御を連携させることが可能になる。
【００６２】
光パスの管理については、異なるリングネットワーク間を跨ぐ光パスを開通可能にすることにより、ネットワーク全体の収容効率を向上させることが可能になる。
【００６３】
光パスの制御については、従来では、リングネットワーク毎に、光パスが通過する経路に応じて、ＯＡＤＭで光パスの入出力パワーが制御される。本発明の実施例によれば、異なるリングネッワーク間で光パスを開通した場合、光パスが通過するリングネットワークに応じて光パスのパワー制御を行うことが可能になる。
【００６４】
光パスの監視については、従来では、故障時の警報は故障が発生したリングネットワーク内のみに転送される。本発明の実施例によれば、異なるリングネッワーク間で光パスを開通した場合、リングネットワークを跨ぐ光パスで故障が発生したときに、故障箇所を同定することが可能になる。
【００６５】
説明の便宜上、本発明の実施例に係るネットワーク管理装置は機能的なブロック図を用いて説明しているが、本発明の管理装置は、ハードウェア、ソフトウェア又はそれらの組み合わせで実現されてもよい。また、２以上の実施例及び実施例の各構成要素が必要に応じて組み合わせて使用されてもよい。
【００６６】
なお、上記の実施例では、２系統のリングネットワークが設置されている場合について説明したが、リングの数は２つに限定されず、如何なる数のリングが設定されてもよい。
【００６７】
以上、本発明の実施形態について説明したが、本発明は、上記の実施形態に限定されることなく、特許請求の範囲内において、種々の変更・応用が可能である。
【符号の説明】
【００６８】
１０    ＯＡＤＭ
１０１  制御機能部
１０３  監視機能部
１０５  スイッチ機能部
２０    ネットワーク管理装置
２０１  波長管理部
２０３  光パス設計部
２０５  光パス設定部
２０７  パワー制御部
２０９  警報制御部
【図１】
0005530266.tif 000022
【図２】
0005530266.tif 000023
【図３】
0005530266.tif 000024
【図４】
0005530266.tif 000025
【図５】
0005530266.tif 000026
【図６】
0005530266.tif 000027
【図７】
0005530266.tif 000028
【図８】
0005530266.tif 000029
【図９】
0005530266.tif 000030
【図１０】
0005530266.tif 000031